(57)【特許請求の範囲】
【請求項１】
回動体と、前記回動体を支持する支持体と、を回動可能に接続するヒンジ構造であって、
前記回動体及び前記支持体と別体として構成された回転軸を有し、
前記回動体および前記支持体は、前記回転軸が挿入される軸受部をそれぞれ備え、
前記回転軸は前記軸受部に摺動可能に挿入され、
前記回転軸を前記軸受部から引き抜く際の前記回転軸の摺動範囲が一定距離に制限されていることを特徴とするヒンジ構造
【請求項２】
前記回転軸はその頭頂部が前記支持体と当接することによって、摺動を制限されていることを特徴とする請求項１に記載のヒンジ構造
【請求項３】
前記回転軸の頭頂部に、前記軸受部の内径よりも断面積が大きな当接部を備えたことを特徴とする請求項２に記載のヒンジ構造
【請求項４】
前記頭頂部を、前記回転軸の摺動範囲上限位置にて保持する保持機構を備えたことを特徴とする請求項３に記載のヒンジ構造
【請求項５】
前記頭頂部が凸部を有し、前記回転軸の摺動範囲のうち、下限位置、上限位置に対応する支持体にそれぞれ凹部を備えたことを特徴とする請求項３に記載のヒンジ構造
【請求項６】
前記回転軸は上部回転軸と、下部回転軸からなり、前記回転軸のすくなくともどちらか一方が摺動可能であることを特徴とする請求項１乃至５の何れか１項に記載のヒンジ構造
【発明の詳細な説明】
【技術分野】
【０００１】
本発明は、扉や棚などを回動自在に係止するヒンジ構造に関する発明である。 
【背景技術】
【０００２】
従来、扉や棚などを回動自在に係止するヒンジ構造として、ヒンジの一部を扉に埋設したものが知られている。（例えば、実開昭４７−２１０６８参照）。 
このような場合、ヒンジの取り外しが困難であり、扉や棚などの回動体を取り外したいと思った場合、複雑な手順が必要となっていた。
【０００３】
また、脱着を考慮したヒンジとして、ピボットヒンジが従来から知られている。（例えば、特開平８−２１００１４）
このようなヒンジにおいても、おもに施工時の施工性が考慮されているのみであり、使用者が適宜、扉や棚などの回動体を脱着する点は考慮されておらず、簡単な手順で取り外しができるものではなかった。  
【先行技術文献】
【特許文献】
【０００４】
【特許文献１】実開昭４７−２１０６８
【特許文献２】特開平８−２１００１４
【発明の概要】
【発明が解決しようとする課題】
【０００５】
本発明は、上記問題を解決するためになされたもので、本発明の課題は、使用者が簡単に扉や棚を取り外すことができるヒンジ構造を提供することである。
【課題を解決するための手段】
【０００６】
上記目的を達成するために請求項１記載の発明によれば、回動体と、前記回動体を支持する支持体と、を回動可能に接続するヒンジ構造であって、前記回動体及び前記支持体と別体として構成された回転軸を有し、前記回動体および前記支持体は、前記回転軸が挿入される軸受部をそれぞれ備え、前記回転軸は前記軸受部に摺動可能に挿入され、前記回転軸を前記軸受部から引き抜く際の前記回転軸の摺動範囲が一定距離に制限されていることを特徴とするヒンジ構造が提供される。
ここでいう回動体とは扉や、回転式の棚などであり、支持体とは回動体が取り付けられるサッシや、キャビネット本体などである。
これにより、回転軸を摺動させて簡単に回動体を脱着させることができると共に、回転軸の摺動範囲が制限されていることにより、回転軸の紛失を防止することが可能となる。
【０００７】
また、請求項２記載の発明によれば、前記回転軸はその頭頂部が前記支持体と当接することによって、摺動を制限されていることを特徴とする請求項１に記載のヒンジ構造が提供される。
これにより、簡単な構造で回転軸の摺動範囲を制限することが可能である。
【０００８】
また、請求項３記載の発明によれば、前記回転軸の頭頂部に、軸受部よりも断面積が大きな当接部を備えたことを特徴とする請求項２に記載のヒンジ構造が提供される。
これにより、より確実に回転軸の摺動を制限することが可能となると同時に、回転軸の頭頂部が軸受部に侵入することが不可能となり、回動体を脱着する方向と逆方向に回転軸を摺動させる恐れがなくなる。
【０００９】
また、請求項４記載の発明によれば、前記頭頂部を、前記回転軸の摺動範囲上限位置にて保持する保持機構を備えたことを特徴とする請求項３に記載のヒンジ構造が提供される。
これにより、回動体を脱着する際に、作業者が手などで回転軸を保持する必要がなくなり、脱着の作業性が向上する。
【００１０】
また、請求項５記載の発明によれば、前記頭頂部が凸部を有し、前記回転軸の摺動範囲のうち、下限位置、上限位置に対応する支持体にそれぞれ凹部を備えたことを特徴とする請求項３に記載のヒンジ構造が提供される。
これにより、頭頂部の凸部と、支持体の凹部がそれぞれ係合する際に作業者にクリック感が伝わることにより、確実に頭頂部を下限位置、上限位置まで摺動させることが可能となる。
【００１１】
また、請求項６記載の発明によれば、前記回転軸は上部回転軸と、下部回転軸からなり、前記回転軸のすくなくともどちらか一方が摺動可能であることを特徴とする請求項１乃至５の何れか１項に記載のヒンジ構造が提供される。
これによれば、回動体の脱着の為の摺動距離が短くなることで作業性が向上する。
【発明の効果】
【００１２】
本発明によれば、使用者が簡単に扉や棚を取り外すことができるヒンジ構造が提供される。
【図面の簡単な説明】
【００１３】
【図１】本発明の実施形態に係る収納キャビネットの一例を示す図である。
【図２】本発明の実施形態に係る収納キャビネットのヒンジ構造近傍を示す分解図である。
【図３】図２に示す本発明の実施形態に係る回転式棚を底側から見た図である。
【図４】図２に示す本発明の実施形態に係る軸受部の斜視図
【図５】図２に示す本発明の実施形態に係る当接部の斜視図
【図６】本発明の実施形態に係る支持体に軸受部を取り付ける状態を示す図である。
【図７】本発明の実施形態に係る支持体に取り付けた軸受部に、回動体を取り付ける状態を示す部分拡大図である。
【図８】本発明の実施形態に係る軸受部に回動体を取り付けた状態を示す図である。
【図９】本発明の実施形態に係る回転軸を軸受けに挿入した状態を示す図である。
【図１０】本発明の実施形態に係る支持体に設けた切り欠きの一例を示す図である。
【図１１】本発明の実施形態に係る当接部の保持機構を、支持体の切り欠きに嵌め込んだ状態を示す図である。
【図１２】本発明の実施形態に係る支持体に設けた切り欠きの一例を示す図である。
【図１３】本発明の実施形態に係る当接部に設けた突起を示す図である。
【図１４】本発明の実施形態に係る当接部の突起を、支持体の切り欠きに嵌め込んだ状態を示す図である。
【発明を実施するための形態】
【００１４】
以下、添付図面を参照しながら、本発明の実施の形態について説明する。
本発明の実施形態に係るヒンジ構造は、様々な態様のものに応用することができる。図１はその一例として、本発明のヒンジ構造２を適用した収納キャビネット１を示す斜視図である。
【００１５】
図２に示すように収納キャビネット１のヒンジ構造２は、キャビネット本体Ａ（支持体）と、回転式棚Ｂ（回動体）と、軸受部Ｃと、上部回転軸Ｄと、下部回転軸Ｅ、当接部Ｆと、ねじＧとを備えている。
このとき、上部回転軸Ｄの先端には当接部Ｆが設けられおり、回転式棚Ｂの一部である回転構造部１０には下部回転軸Ｅが設けられている。（図３参照）
軸受部Ｃは上部軸受部Ｃａ及び下部軸受部Ｃｂよりなり、上部軸受部Ｃａに上部回転軸Ｄを、下部軸受部Ｃｂに下部回転軸Ｅを、それぞれ挿入することにより、回動式棚Ｂが回動自在にキャビネット本体Ａに取り付けられる。
【００１６】
図４は軸受部Ｃの斜視図である。
キャビネット本体Ａには、上部回転軸Ｄを保持する上部軸受部Ｃａと、下部回転軸Ｅを保持する下部軸受部Ｃｂが設けられている。このとき、上部軸受部Ｃａはその上方から軸を挿入可能な筒体となっている。一方、下部軸受部Ｃｂはその側方から軸を挿入し保持できるように、断面Ｃ形状となっている。  また、軸受部ＣにはねじＧを貫通させるためのねじ穴１１が設けられている。
【００１７】
図５は当接部Ｆの斜視図である。図５に示すように、当接部Ｆは回転式棚Ｂを着脱するために上部回転軸Ｄを摺動させる際に、作業者が持ちやすいように（大きな）形状になっている。また摺動範囲上限位置で当接部Ｆを保持しキャビネット本体Ａから抜けないように、当接部Ｆに保持機構２０を備えている。当接部Ｆを作業者が持ち上げた場合、保持機構２０がキャビネット本体Ａと当接することにより、それ以上上方へ当接部Ｆが摺動することを制限することができる。つまり、当接部Ｆの摺動範囲が制限されることにより、自動的に上部回転軸Ｄの摺動範囲が制限され、上部回転軸Ｄが上部軸受部Ｃａから逸脱することを防止することができる構造となっている。
【００１８】
図６に軸受部Ｃのキャビネット本体Ａへの取付け構造を示す。
軸受部Ｃは、ねじＧによってキャビネット本体Ａに取り付ける。具体的には軸受部Ｃのねじ穴１１にねじＧを挿入し、キャビネット本体Ａのねじ受部１２にねじ込むことによって固定される。このとき、ねじ穴１１の内径にねじが切ってある場合、より強固に取り付けることが可能となり好ましい。
このように、軸受部Ｃはキャビネット本体と別体に設けることが好ましい。別体として設けることにより、無理な荷重が係るなどして破損した場合においても軸受部Ｃのみを交換することで対応が可能となり、キャビネット本体Ａを交換する場合と比較して、作業量も価格も抑えることが可能となる。この場合、軸受部Ｃのねじ穴１１周辺の強度よりもキャビネット本体Ａのねじ受部１２周辺の強度高めておくことによって、確実に軸受部Ｃ側が破壊される。
【００１９】
図７に、キャビネット本体Ａへの回転式棚Ｂの取付け構造を示す。
回転式棚Ｂをキャビネット本体Ａへ取り付ける場合は、当接部Ｆをつまみ上部回転軸Ｄを上方へ摺動した状態で、回転式棚Ｂに備えた下部回転軸Ｅを下部軸受部Ｃｂに挿入する。
また、当接部Ｆを摺動した際に、図５に示す当接部Ｆに備えた保持機構２０が支持体Ａと当接することで当接部Ｆの摺動を制限させ、当接部Ｆが支持体Ａから抜けないことで、当接部Ｆと上部回転軸Ｄの紛失を防止することができる。
【００２０】
この状態で当接部Ｆ及び上部回転軸Ｄを下方へ摺動させ、上部回転軸Ｄの下端を回転構造部１０に挿入させる（図８、図９参照）。これにより、回転式棚Ｂが回動可能に、キャビネット本体Ａに取り付けられる。なおこのとき、当接部Ｆの重量により、作業者は当接部Ｆから手を離すことで自動的に当接部Ｆおよび上部回転軸Ｄが自重で下方に落下し、上部回転軸Ｄの下端が回転構造部１０に挿入される。
【００２１】
別の一例として、図１０に示すように、キャビネット本体Ａに設けられた支持体開口部３０の支持体壁面３１に、回転凹部３２を設けることも好ましい。回転凹部３２は当接部Ｆに設けられた保持機構２０が挿入できるサイズに設けられている。図１１に示すように、回転式棚Ｂを着脱するために当接部Ｆを上方に摺動させた状態で手前に回転させることで当接部Ｆの保持機構２０がキャビネット本体Ａの回転凹部３２に嵌り、当接部Ｆの自重による下方への落下を抑制し、回転式棚Ｂの着脱時に当接部Ｆを片手で抑える必要がなくなる。これにより、作業者は両手で容易に回転式棚Ｂを着脱できるようになる。
【００２２】
別の一例として、図１２に示すように、支持体開口部３０の支持体壁面３１に、当接部Ｆの上限、下限の摺動範囲位置にクリック凹部３３が設け、図１３に示すように、支持体Ａのクリック凹部３３が設けられた支持体壁面３１に面する当接部Ｆの当接部壁面２１に、凸部２２が設けてもよい。
このような構成とすることで、図１４に示すように回転式棚Ｂを着脱するために当接部Ｆを上方に摺動させた際に、当接部Ｆの凸部２２を支持体Ａのクリック凹部３３に嵌め込むことで、当接部Ｆの自重による下方への落下を抑制し、回転式棚Ｂの着脱時に当接部Ｆを片手で抑える必要がなくなる。これにより、作業者は両手で容易に回転式棚Ｂを着脱できるようになる。
また、当接部Ｆの摺動時に、当接部Ｆの凸部２２とキャビネット本体Ａのクリック凹部３３の勘合から作業者にクリック感が伝わることにより、当接部Ｆと下部回転軸Ｅを、確実に上限位置、下限位置まで摺動させることが可能となる。
図１２および図１３に示す凹凸部の形状が当接部Ｆとキャビネット本体Ａで逆になっても、つまり、キャビネット本体に凸部を、当接部Ｆに凹部を、それぞれ設けてもよい。この場合においても、両者の嵌合により、当接部Ｆの自然落下を抑制出来、また作業者にクリック感による上限・下限位置の伝達を行うことが可能となる。
【００２３】
また、本発明では、図２に示すように、回転軸は上部回転軸Ｄと下部回転軸Ｅからなり、回転軸の少なくともどちらか一方が摺動可能であることを特徴とするヒンジ構造を有している。どちらか一方のみにヒンジ構造を設けることで、複数の部品に回転軸を挿入する必要がなく、軸を合わせる手間も少なくて済むので、使用者でもヒンジ構造を使い回転式棚Ｂを容易に着脱できる。また、軸の摺動範囲も狭くて済む。
【００２４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００２５】
Ａ：支持体
Ｂ：回転式棚
Ｃａ：上部軸受部
Ｃｂ：下部軸受部
Ｄ：上部回転軸
Ｅ：下部回転軸
Ｆ：当接部
Ｇ：ねじ
１：収納キャビネット
１０：回転構造部
１１：ねじ穴
１２：ねじ受部
２：ヒンジ構造
２０：保持機構
２１：当接部壁面
２２：凸部
３０：支持体開口部
３１：支持体壁面
３２：回転凹部
３３：クリック凹部
【図１】
0005403493.tif 000002
【図２】
0005403493.tif 000003
【図３】
0005403493.tif 000004
【図４】
0005403493.tif 000005
【図５】
0005403493.tif 000006
【図６】
0005403493.tif 000007
【図７】
0005403493.tif 000008
【図８】
0005403493.tif 000009
【図９】
0005403493.tif 000010
【図１０】
0005403493.tif 000011
【図１１】
0005403493.tif 000012
【図１２】
0005403493.tif 000013
【図１３】
0005403493.tif 000014
【図１４】
0005403493.tif 000015